【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
接続再構成プロセスを開始するために、ランダムアクセスプリアンブルおよびUE識別子を含む第1のメッセージを第1のアクセスノードに送信するステップと、
前記第1のアクセスノードから、前記第1のメッセージに対する応答を受信するステップであって、前記応答はビット値を含む、ステップと、
前記ビット値が前記再構成プロセスが継続することを示すか、前記ビット値が前記再構成プロセスが継続しないことを示すか、を決定するステップと、
前記再構成プロセスが継続することの前記指示に応じて、前記接続再構成プロセスを維持し、前記UEのための受信機を高電力状態のままにさせるか、または、高電圧状態に移行させ、RRC専用状態へ移行するための接続再構成メッセージを待つようにする、ステップと
を含む方法。
【請求項２】
第2のアクセスノードから前記接続再構成メッセージを受信するステップをさらに含み、
特に、前記接続再構成メッセージが、前記第2のアクセスノードに関連するセル識別子、タイミングアドバンス情報、セル無線ネットワーク一時識別子(C-RNTI)、アップリンク割当てデータ、またはダウンリンク割当てデータのうちの少なくとも1つを含み、または、
特に、前記第1のアクセスノードおよび前記第2のアクセスノードが同じアクセスノードである、請求項1に記載の方法。
【請求項３】
前記第1のアクセスノードから、マスタ情報ブロック(MIB)および同期信号を受信するステップと、
前記MIBに基づいて前記第1のメッセージを生成するステップと
をさらに含み、前記第1のメッセージの前記送信が、前記同期信号に基づく
請求項1に記載の方法。
【請求項４】
前記第1のメッセージに対する前記応答が1ビットであり、
特に、前記第1のメッセージに対する前記応答が、前記UE識別子または同期信号識別子のうちの1つによってシードされる基準信号を含む、請求項1に記載の方法。
【請求項５】
前記第1のメッセージが、前記接続再構成プロセスを開始するためにバッファステータス報告をさらに含み、または、
前記第1のメッセージに対する前記応答に基づいて前記接続再構成プロセスを維持する前記ステップが、
前記接続再構成プロセスを継続するために、接続再構成メッセージを待つステップ
を含む、請求項1に記載の方法。
【請求項６】
ワイヤレス通信のための装置であって、前記装置がユーザ機器(UE)であり、
接続再構成プロセスを開始するために、ランダムアクセスプリアンブルおよびUE識別子を含む第1のメッセージを第1のアクセスノードに送信するための手段と、
前記第1のアクセスノードから、前記第1のメッセージに対する応答を受信するための手段であって、前記応答はビット値を含む、手段と、
前記ビット値が前記再構成プロセスが継続することを示すか、前記ビット値が前記再構成プロセスが継続しないことを示すか、を決定する手段と、
前記再構成プロセスが継続することの前記指示に応じて、前記接続再構成プロセスを維持し、前記装置のための受信機を高電力状態のままにさせるか、または、高電力状態に移行させ、RRC専用状態へ移行するための接続再構成メッセージを待つようにするための手段と
を含む装置。
【請求項７】
第2のアクセスノードから接続再構成メッセージを受信するための手段と、
特に、前記接続再構成メッセージが、前記第2のアクセスノードに関連するセル識別子、タイミングアドバンス情報、セル無線ネットワーク一時識別子(C-RNTI)、アップリンク割当てデータ、またはダウンリンク割当てデータのうちの少なくとも1つを含む、請求項6に記載の装置。
【請求項８】
前記第1のアクセスノードから、マスタ情報ブロック(MIB)および同期信号を受信するための手段と、
前記MIBに基づいて前記第1のメッセージを生成するための手段と
をさらに含み、前記第1のメッセージを送信するための前記手段が、前記同期信号に基づいて送信するように構成されるか、または、
前記第1のメッセージに対する前記応答が、前記UE識別子または同期信号識別子のうちの1つによってシードされる基準信号を含むか、または、
前記第1のメッセージが、前記接続再構成プロセスを開始するためにバッファステータス報告をさらに含む、請求項6に記載の装置。
【請求項９】
第1のアクセスノードによるワイヤレス通信のための方法であって、
再構成プロセスを開始するために、ランダムアクセスプリアンブルとUE識別子とを含む第1のメッセージをユーザ機器(UE)から受信するステップと、
前記再構成プロセスが継続するか、継続しないかを決定するステップと、
前記再構成プロセスが継続するとの前記決定に応じて、前記第1のメッセージに対する応答を前記UEに送信するステップであって、前記応答は、前記再構成プロセスが継続することを示すビット値を含む、ステップと、
前記UEをRRC専用状態へ移行するための接続再構成メッセージを送信するか、または、第2のアクセスノードに対して、前記UEをRRC専用状態へ移行するための接続再構成メッセージを送信するよう命令する、ステップと
を含む方法。
【請求項１０】
前記接続再構成メッセージが、セル識別子、タイミングアドバンス情報、セル無線ネットワーク一時識別子(C-RNTI)、アップリンク割当てデータ、またはダウンリンク割当てデータのうちの少なくとも1つを含むか、または、
請求項9に記載の方法は、
マスタ情報ブロック(MIB)および同期信号を送信するステップ
をさらに含む、
請求項9に記載の方法。
【請求項１１】
前記第1のメッセージに対する前記応答が1ビットであり、前記UE識別子または同期信号識別子のうちの1つによってシードされる基準信号を含むか、または、
前記第1のメッセージがバッファステータス報告を含む、請求項9に記載の方法。
【請求項１２】
ワイヤレス通信のための装置であって、前記装置が第1のアクセスノードであり、
再構成プロセスを開始するために、ランダムアクセスプリアンブルとUE識別子とを含む第1のメッセージをユーザ機器(UE)から受信するための手段と、
前記再構成プロセスが継続するか、継続しないかを決定する手段と、
前記再構成プロセスが継続するとの前記決定に応じて、前記第1のメッセージに対する応答を前記UEに送信するための手段であって、前記応答は、前記再構成プロセスが継続することを示す、手段と、
前記UEをRRC専用状態へ移行するための接続再構成メッセージを送信するための手段、または、第2のアクセスノードに対して、前記UEをRRC専用状態へ移行するための接続再構成メッセージを送信するよう命令するための手段と
を含む装置。
【請求項１３】
前記接続再構成メッセージが、セル識別子、タイミングアドバンス情報、セル無線ネットワーク一時識別子(C-RNTI)、アップリンク割当てデータ、またはダウンリンク割当てデータのうちの少なくとも1つを含む、請求項12に記載の装置。
【請求項１４】
接続再構成メッセージを送信するための前記手段が、前記接続再構成プロセスの開始、前記UEのためのモビリティ管理の提供、または前記UEへのページの送信のうちの少なくとも1つのために構成される、請求項12に記載の装置。
【請求項１５】
ユーザ機器のプロセッサ上で実行されると請求項１から５のいずれかのステップを実行し、またはアクセスノードのプロセッサ上で実行されると請求項９から１１のいずれかのステップを実行するためのワイヤレス通信のためのコンピュータ実行可能コードを含むコンピュータプログラム。